【事件の表示】
　特許第２９６５２１３号「遊技機」の請求項１、２に係る特許に対する特許異議の申立てについて、次のとおり決定する。
【結　論】
　訂正を認める。
　特許第２９６５２１３号の請求項１に係る特許を取り消す。
　同請求項２に係る特許を維持する。
【理　由】
１．手続きの経緯
　本件特許第２９６５２１３号の請求項１及び請求項２に係る発明は、平成２年８月２４日に出願されものであり、その特許は平成１１年８月１３日に設定登録された。
　この特許に対し、異議申立人河井清悦から特許異議の申立てがなされ、当審において取消理由を通知したところ、平成１２年１１月２８日に訂正請求がなされた。
　
２．訂正の適否についての判断
２-1．訂正の内容
  特許権者が求めている訂正の内容は、本件特許明細書を訂正請求書に添付した訂正明細書のとおりに訂正しようとするものである。すなわち、
（ａ）特許請求の範囲の請求項１（特許公報第２欄２〜４行）の「上記遊技領域を流下する打球の検出に基づき上記可変表示手段における可変表示の始動条件を付与可能な打球検出手段と、」を、「上記遊技領域を流下する打球の検出に基づき上記可変表示手段における可変表示の始動条件を付与可能な通過型の入賞口に設けられる打球検出手段と、」と訂正する。
（ｂ）特許請求の範囲の請求項２（同公報第３欄７〜９行）の「上記補助変動入賞装置に、上記可変表示手段を一体的に備えたことを特徴とする特許請求の範囲第１項記載の遊技機。」を、「遊技領域を形成した遊技盤と、
　上記遊技領域に配設され、遊技者にとって不利な第１状態と遊技者にとって有利な第２状態とに変換可能な変動入賞装置と、
　上記遊技領域に配設され、補助遊技を行い特定遊技結果を導出可能な補助遊技形成手段と、
　上記遊技領域に配設された特定入賞領域に入賞した打球を検出する特定入賞検出手段と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路と、
　を備えた遊技機において、
　複数の識別情報を可変表示可能な可変表示手段と、
　上記遊技領域を流下する打球の検出に基づき上記可変表示手段における可変表示の始動条件を付与可能な打球検出手段と、
　上記遊技領域を流下する打球が上記特定入賞領域へ入賞し得る状態を遊技者にとって不利な第１状態と遊技者にとって有利な第２状態とに変換可能な可動部材および該可動部材の状態を変化させる電気的駆動源を各々有する補助変動入賞装置と、
　を上記遊技領域に備え、
　上記遊技制御回路は、上記打球検出手段からの検出信号に基づき、上記可変表示手段の可変表示を行う可変表示制御手段と、上記可変表示手段に所定の特定識別情報が表示された場合に、上記補助変動入賞装置の可動部材を所定の態様で上記第２状態へ変換制御可能な変換制御手段と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設し、該補助変動入賞装置に、上記可変表示手段を一体的に備えたことを特徴とする遊技機。」と訂正する。
（ｃ）発明の詳細な説明における［問題を解決するための手段］（同公報第４欄３５〜３７行）の「上記遊技領域を流下する打球の検出に基づき上記可変表示手段における可変表示の始動条件を付与可能な打球検出手段（例えば、補助特定入賞検出器５１ｆ）と、」を、「上記遊技領域を流下する打球の検出に基づき上記可変表示手段における可変表示の始動条件を付与可能な通過型の入賞口に設けられる打球検出手段（例えば、補助特定入賞検出器５１ｆ）と、」と訂正する。
（ｄ）発明の詳細な説明における［問題を解決するための手段］（同公報第５欄８〜９行）の「また、上記補助変動入賞装置に、上記可変表示手段を一体的に備えてもよい。」を、「また、遊技領域（２）を形成した遊技盤（１）と、
　上記遊技領域に配設され、遊技者にとって不利な第１状態と遊技者にとって有利な第２状態とに変換可能な変動入賞装置（５）と、
　上記遊技領域に配設され、補助遊技を行い特定遊技結果を導出可能な補助遊技形成手段（例えば、変動入賞装置５など）と、
　上記遊技領域に配設された特定入賞領域（例えば、入賞球案内樋１２など）に入賞した打球を検出する特定入賞検出手段（例えば、特定入賞検出器１１０）と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路（例えば、第１の制御手段４００及び第２の制御手段３００）と、
　を備えた遊技機（例えば、パチンコ遊技機）において、
　複数の識別情報を可変表示可能な可変表示手段（例えば、可変表示ゲーム器１０１）と、
　上記遊技領域を流下する打球の検出に基づき上記可変表示手段における可変表示の始動条件を付与可能な打球検出手段（例えば、補助特定入賞検出器５１ｆ）と、
　上記遊技領域を流下する打球が上記特定入賞領域へ入賞し得る状態を遊技者にとって不利な第１状態と遊技者にとって有利な第２状態とに変換可能な可動部材（例えば、可動片１２１，１２１）および該可動部材の状態を変化させる電気的駆動源（例えば、ソレノイド１５１）を各々有する補助変動入賞装置（１００）と、
　を上記遊技領域に備え、
　上記遊技制御回路は、上記打球検出手段からの検出信号に基づき、上記可変表示手段の可変表示を行う可変表示制御手段（例えば、乱数生成手段３０１，乱数取出し手段３０２，比較判定手段３０３など）と、上記可変表示手段に所定の特定識別情報が表示された場合に、上記補助変動入賞装置の可動部材を所定の態様で上記第２状態へ変換制御可能な変換制御手段（例えば、補助変動入賞装置駆動制御手段３０４）と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設し、該補助変動入賞装置に、上記可変表示手段を一体的に備えたことを特徴とする。」と訂正する。
２-2．訂正の目的の適否及び拡張・変更の存否
　上記（ａ）の訂正は、請求項１に係る発明の「可変表示の始動条件を付与可能な打球検出手段」を設ける位置を、「通過型の入賞口」に限定するものであるから、特許請求の範囲の減縮を目的とするものである。
　上記（ｂ）の訂正は、請求項１の訂正に伴い、請求項１の従属項であった請求項２を、独立項とするものであるから、明りょうでない記載の釈明を目的とするものである。
　上記（ｃ）及び（ｄ）の訂正は、発明の詳細な説明の記載を、訂正後の特許請求の範囲の記載と整合させるためのものであるから、明りょうでない記載の釈明を目的とするものである。
　そして、これらの訂正は、願書に添付した明細書又は図面に記載した事項の範囲内においてするものであって新規事項を追加するものではなく、かつ、実質上特許請求の範囲を拡張し、又は変更するものではない。
２-3．むすび
　以上のとおりであるから、上記訂正は特許法等の一部を改正する法律（平成６年法律第１１６号（以下「平成６年改正法」という））附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３．特許異議の申立てについて
３-1．異議申立て理由の概要
　異議申立人は、下記の証拠方法を提示し、本件の請求項１及び２に係る発明は、次の理由により取り消されるべきである旨主張する。
　（１）本件の請求項１及び２に係る発明は、下記の甲第１号証ないし甲第４号証に記載された発明に基づいて、当業者が容易に発明をすることができたものであるから、これらの特許は、特許法第２９条第２項の規定に違反してされたものである。
　（２）本件の請求項１に係る発明は、特願平２−２１６５３６号出願の願書に最初に添付した明細書又は図面（甲第５号証、以下、「先願明細書等」という）に記載された発明と同一であり、しかも、本件の請求項１に係る発明の発明者が上記先願明細書等に記載された発明の発明者と同一であるとも、本件の出願の時において、その出願人が前記出願の出願人と同一であるとも認められないので、この特許は、特許法第２９条の２第１項の規定に違反してされたものである。
　　　　　　　　　　　　　　　　記
　甲第１号証：特開昭６３−１５００８５号公報
　甲第２号証：特開昭６２−２０７４８１号公報
　甲第３号証：特開平２−１０４３７９号公報
　甲第４号証：実願昭６０−１９６６４１号（実開昭６２−１０８９８７号公報）のマイクロフイルム
　甲第５号証：特開平４−９７７６７号公報
３-2．本件発明
　本件の請求項１及び２に係る発明は、訂正後の特許請求の範囲の請求項１及び２に記載されたとおりの、
　「（１）遊技領域を形成した遊技盤と、
　上記遊技領域に配設され、遊技者にとって不利な第１状態と遊技者にとって有利な第２状態とに変換可能な変動入賞装置と、
　上記遊技領域に配設され、補助遊技を行い特定遊技結果を導出可能な補助遊技形成手段と、
　上記遊技領域に配設された特定入賞領域に入賞した打球を検出する特定入賞検出手段と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路と、
　を備えた遊技機において、
　複数の識別情報を可変表示可能な可変表示手段と、
　上記遊技領域を流下する打球の検出に基づき上記可変表示手段における可変表示の始動条件を付与可能な通過型の入賞口に設けられる打球検出手段と、
　上記遊技領域を流下する打球が上記特定入賞領域ヘ入賞し得る状態を遊技者にとって不利な第１状態と遊技者にとって有利な第２状態とに変換可能な可動部材および該可動部材の状態を変化させる電気的駆動源を各々有する補助変動入賞装置と、
　を上記遊技領域に備え、
　上記遊技制御回路は、上記打球検出手段からの検出信号に基づき、上記可変表示手段の可変表示を行う可変表示制御手段と、上記可変表示手段に所定の特定識別情報が表示された場合に、上記補助変動入賞装置の可動部材を所定の態様で上記第２状態へ変換制御可能な変換制御手段と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設するようにしたことを特徴とする遊技機。
　（２）遊技領域を形成した遊技盤と、
　上記遊技領域に配設され、遊技者にとって不利な第１状態と遊技者にとって有利な第２状態とに変換可能な変動入賞装置と、
　上記遊技領域に配設され、補助遊技を行い特定遊技結果を導出可能な補助遊技形成手段と、
　上記遊技領域に配設された特定入賞領域に入賞した打球を検出する特定入賞検出手段と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路と、
　を備えた遊技機において、
　複数の識別情報を可変表示可能な可変表示手段と、
　上記遊技領域を流下する打球の検出に基づき上記可変表示手段における可変表示の始動条件を付与可能な打球検出手段と、
　上記遊技領域を流下する打球が上記特定入賞領域へ入賞し得る状態を遊技者にとって不利な第１状態と遊技者にとって有利な第２状態とに変換可能な可動部材および該可動部材の状態を変化させる電気的駆動源を各々有する補助変動入賞装置と、
　を上記遊技領域に備え、
　上記遊技制御回路は、上記打球検出手段からの検出信号に基づき、上記可変表示手段の可変表示を行う可変表示制御手段と、上記可変表示手段に所定の特定識別情報が表示された場合に、上記補助変動入賞装置の可動部材を所定の態様で上記第２状態へ変換制御可能な変換制御手段と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設し、該補助変動入賞装置に、上記可変表示手段を一体的に備えたことを特徴とする遊技機。」
により特定されるものである。
３-3．当審の判断
３-3-1．本件の請求項１に係る発明について
３-3-1-1．先願明細書等に記載された発明
　取消理由で引用した特願平２−２１６５３６号（特開平４−９７７６７号）の願書に最初に添付した明細書又は図面には、次の事項が記載されている。
（ａ）「上記した目的を達成するために、本発明においては、
　複数の始動入賞口と、該始動入賞口への打球の入賞に基づいて開閉部材を所定回数開閉する変動入賞装置と、その所定回数の開閉中に受け入れられた打球が変動入賞装置内に設けられる特定入賞口に入賞したときに大当り状態を発生させる大当り発生手段と、を備えたパチンコ機において、
　前記複数の始動入賞口のうちの少なくとも１つであって電気的駆動源によって開放する電動始動入賞口と、
　落下する打球を検出する玉検出器と、
　該検出器の検出出力に基づいて変動表示する変動表示器と、
　該変動表示器の表示停止時の図柄が予め定めた図柄と一致した場合に前記電動始動入賞口を開放する開放駆動手段と、
が設けられていることを特徴とするものである。」（２頁左上欄１０行〜同頁右上欄７行）、
（ｂ）「遊技盤６には、打球を誘導するとともに遊技領域７を区画形成する誘導レール８がほぼ円状に植立されている。遊技領域７のほぼ中央には、この実施例の特徴である変動入賞装置２０が取着されている。なお、変動入賞装置２０については後に詳述する。更に、遊技領域７には、その下方に始動入賞口９ａ〜９ｃが設けられている。この始動入賞口９ａ〜９ｃのうち中央の始動入賞口９ａは、電気的駆動源であるチューリップソレノイド１６によって開閉制御されるチューリップ式始動入賞口となっており、その翼片部分に動作ランプが内蔵されている。また、他の始動入賞口９ｂ，９ｃの下方部分にも動作ランプが内臓されている。そして、この動作ランプは、打球が当該始動入賞口に入賞したことを遊技客に知らせている。なお、中央の始動入賞口９ａに打球が入賞すると後述する変動入賞装置２０の開閉翼片２３ａ，２３ｂが短い時間間隔で２回開閉動作をし、左右の始動入賞口９ｂ，９ｃに打球が入賞すると開閉翼片２３ａ，２３ｂが１回開閉動作するようになっている。そして、この打球の入賞を検出するために始動入賞検出スイッチ３１ａ〜３１ｃ（第３図参照）が内蔵されている。更に、遊技領域７には、打球の入賞を通常の入賞とする入賞口１０ａ，１０ｂ，１１ａ，１１ｂや、後述する特別遊技状態となったときに点灯、あるいは点滅してその旨を報知する大当りランプ１２ａ，１２ｂ等がそれぞれ設けられている。前記入賞口のうち変動入賞装置２０の左右に設けられる入賞口１０ａ，１０ｂには、入賞した打球を検出する玉検出器１７ａ，１７ｂが内蔵されている。この玉検出器１７ａ，１７ｂがＯＮすると後述する回数表示器を兼用する変動表示器２６が変動開始する。そして、その変動表示器２６の停止時の図柄が予め定めた図柄（例えば、数字の「７」）と一致した場合には、後に詳述するように前記チューリップソレノイド１６を所定の態様で駆動する。」（２頁左下欄１２行〜３頁左上欄８行）、
（ｃ）「この実施例の場合、開閉部材２３ａ，２３ｂは短い時間間隔、例えば、始動入賞口９ａ〜９ｃへ打球が入賞した場合には約０．５秒間隔で開閉制御され、後述するＶ入賞口２４へ入賞した場合には約０．７５秒間隔で開閉制御される。
　前記窓開口２２の下方部分には、複数の入賞口が形成され、中央が特定入賞口としてのＶ入賞口２４とされ、両側が通常入賞口２５ａ，２５ｂとされる。そして、前記始動入賞口９ａ〜９ｃへの入賞による開閉部材２３ａ，２３ｂの開閉動作によって誘導された入賞玉がＶ入賞口２４ヘ入賞することにより大当り状態となり、前記開閉部材２３ａ，２３ｂが１８回の開閉動作を行うか、又は１０個の入賞玉が入賞するまで開閉動作を連続する。また、この開閉動作の途中で再度Ｖ入賞口２４に入賞があると、その開閉動作を直ちに停止して、最初から上記した１８回又は１０個の開閉動作を繰り返す。このような繰り返し回数は、最高１６回に設定されている。また、前記Ｖ入賞口２４には、入賞を検出するためのＶ入賞検出スイッチ３３（第３図参照）が設けられ、更に、Ｖ入賞口２４及び通常入賞口２５ａ，２５ｂに入賞したすベての入賞玉を検出する１０カウント検出スイッチ３２（第３図参照）が変動入賞装置２０の裏面に設けられている。」（３頁右上欄１３行〜同頁左下欄１７行）。
３-3-1-2．対比・判断
　本件の請求項１に係る発明と、先願明細書等に記載された発明とを対比すると、先願明細書等の発明の「始動入賞口９ａ〜９ｃ」が本件の請求項１に係る発明の「特定入賞領域」に、同様に、「始動入賞検出スイッチ３１ａ〜３１ｃ」が「特定入賞検出手段」に、「入賞玉がＶ入賞口２４に入賞する」が「特定遊技結果」に、「大当り状態」が「特別遊技状態」に、「変動表示器２６」が「可変表示手段」に、「玉検出器１７ａ，１７ｂ」が「打球検出手段」に、「電動始動入賞口９ａの部分」が「補助変動入賞装置」に、「チューリップソレノイド１６」が「電気的駆動源」に、「開放駆動手段」が「補助変動入賞装置の変換制御手段」に、それぞれ相当し、さらに、先願明細書等の発明において、変動入賞装置２０は遊技領域７の中央に配設され、玉検出器１７ａ，１７ｂを内臓する入賞口１０ａ，１０ｂは変動入賞装置２０の左右横に配設され、電動始動入賞口は変動入賞装置２０の下方中央に配設されているから、両者は、次の点で一応相違しているが、その余の点では一致している。
　本件の請求項１に係る発明では、「打球検出手段」が通過型の入賞口に設けられているのに対し、先願明細書等の発明では、「球検出機」は通常の入賞口に設けられており、入賞口が通過型であるか不明である点。
　上記の相違点について検討すると、パチンコ遊技機の通常の入賞口には、ポケット型のものと通過型のものとがあることは本件特許出願前から周知であるから、先願明細書等に記載された発明の「通常の入賞口」を通過型にすることは、当業者が適宜できる設計事項に過ぎず、この点で両者が別異の発明であるいうことはできない。
　したがって、本件の請求項１に係る発明は、先願明細書等に記載された発明と同一であり、しかも、本件の請求項１に係る発明の発明者が上記出願明細書に記載された発明の発明者と同一であるとも、この出願の時において、その出願人が上記他の出願の出願人と同一であるとも認められないので、本件の請求項１に係る特許は、特許法第２９条の２第１項の規定に違反して特許されたものである。
３-3-2．本件の請求項２に係る発明について
３-3-2-1．甲第１号証ないし甲第４号証に記載された発明
　甲第１号証には、遊技盤の遊技領域の略中央に可変入賞球装置が配設され、可変入賞球装置の下方の左右位置に始動領域が形成され、パチンコ球が始動領域に入賞すると、この入賞球は始動検出器で検出され遊技態様変化手段としての可変入賞球装置の一対の可動翼片が１回または２回回動し、この開状態でパチンコ球が特定入賞領域に入賞すると、可変入賞球装置の一対の可動翼片が一例として１８回、または可変入賞球装置にパチンコ球が１０個入賞するまで開閉を繰返し、また、可変入賞球装置の下方で始動領域の間のやや上方に位置する落下経路変化手段としての一対の可動羽根が設けられ、この可動羽根が平行起立状態にあるとき、可動羽根の間にパチンコ球が入賞することにより、可動羽根がパチンコ球の自重により逆八の字状に傾動し、可動羽根の先端がパチンコ球を始動領域方向へ誘導し得るようになされているパチンコ遊技機が、記載されている。
　甲第２号証には、センター役物の横に、いわゆるチャッカーなどの始動入賞体が設けられたパチンコ遊戯機が、記載されている。
　甲第３号証の刊行物には、遊技球が発射される毎に乱数を発生し、その値を判定し、その乱数値が所定の値のとき複数の可変入賞装置（ソレノイド駆動のチューリップ）を遊技者に有利な第２状態に変換駆動（チューリップを開く）し、可変入賞装置のうちの特定入賞口に遊技球が入ると、所定個数の賞品球を払い出だすと共に、可変表示装置による別遊技を開始させ、別遊技の結果態様が大当りの場合（その確率は可変入賞装置の場合と同様に予め定められている）、いわゆるアタッカと称される変動入賞装置の扉を一定時間開く弾球遊技機が、記載されている。
　甲第４号証には、変換表示手段と変動入賞手段とを一体的に構成したセンンター役物が設けられたパチンコ機が、記載されている。
３-3-2-2．対比・判断
　本件の請求項２に係る発明と甲第１号証記載の発明とを対比すると、後者の「可変入賞球装置」及び「始動検出器」は、前者の「変動入賞装置」及び「特定入賞検出手段」に該当するから、両者は、遊技領域を形成した遊技盤と、上記遊技領域に配設され、遊技者にとって不利な第１状態と遊技者にとって有利な第２状態とに変換可能な変動入賞装置と、上記遊技領域に配設され、補助遊技を行い特定遊技結果を導出可能な補助遊技形成手段と、上記遊技領域に配設された特定入賞領域に入賞した打球を検出する特定入賞検出手段と、上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路とを備えた遊技機である点で一致し、
　前者が、複数の識別情報を可変表示可能な可変表示手段を備え、遊技領域を流下する打球の検出に基づき可変表示手段における可変表示の始動条件を付与可能な打球検出手段を備え、遊戯制御回路が、打球検出手段からの検出信号に基づき、可変表示手段の可変表示を行う可変表示制御手段を備え、可変表示手段に所定の特定識別情報が表示された場合に、補助変動入賞装置の可動部材を所定の態様で第２状態へ変換制御可能な変換制御手段を備え、遊技領域を流下する打球が上記特定入賞領域ヘ入賞し得る状態を遊技者にとって不利な第１状態と遊技者にとって有利な第２状態とに変換可能な可動部材および該可動部材の状態を変化させる電気的駆動源を各々有する補助変動入賞装置を備え、補助遊技形成手段の横側に打球検出手段を配設し、さらに、補助変動入賞装置に可変表示手段を一体的に備えたものであるのに対し、後者は、これらのものを備えていない点で相違する。
　上記の相違点について検討すると、甲第２号証ないし甲第４号証には、複数の識別情報を可変表示可能な可変表示手段を備え、遊技領域を流下する打球の検出に基づき可変表示手段における可変表示の始動条件を付与可能な打球検出手段を備え、遊戯制御回路が、打球検出手段からの検出信号に基づき、可変表示手段の可変表示を行う可変表示制御手段を備え、可変表示手段に所定の特定識別情報が表示された場合に、補助変動入賞装置の可動部材を所定の態様で第２状態へ変換制御可能な変換制御手段を備え、さらに、補助変動入賞装置に可変表示手段を一体的に備えたた遊技機は、記載されていない。
　すなわち、甲第２号証に記載のパチンコ遊戯機において、第２図の番号２９で表されるものは、センター役物への入賞球の数を表示する表示灯であって、複数の識別情報を可変表示可能な可変表示手段ではないし、甲第３号証及び甲第４号証に記載されたパチンコ機は、複数の識別情報を可変表示可能な可変表示手段を備えているが、これらはいずれも大当たりを惹起するメインのゲーム手段（いわゆるセブン機）であって、前者の補助変動入賞装置の態様を変化させる予備ゲームとしての可変表示手段ではない。
　そして、本件の請求項２に係る発明は、上記の手段を含むその構成に基づいて特定入賞領域への打球の入賞状態、即ち、補助遊技が開始される頻度が変化して、遊技が単調にならず興趣を高めることができ、特定入賞領域への入賞確率が高くなった場合には、特別遊技状態の起生への期待感を高めさせることができ、また、可変表示手段を配設する専用の領域を遊技領域に確保することなくスペース的に効率のよい配設が行え、取り付けの作業性を向上させることができるという明細書に記載の優れた効果を奏するものであると認められる。
　それゆえ、本件の請求項２に係る発明は、甲第１号証ないし甲第４号証に記載された発明に基いて、当業者が容易に発明をすることができたものであるとは認められない。
　
４．むすび
　以上のとおり、請求項１に係る発明は特許法第２９条の２第１項の規定により特許を受けることができないから、その特許は、拒絶の査定をしなければならない特許出願に対してされたものであり、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、取り消されるべきものである。
　請求項２に係る発明の特許については、特許異議申立ての理由及び証拠方法によって取り消すことができず、また、他に取り消しの理由を発見しない。
　よって、結論のとおり決定する。
【異議決定日】
平成１３年３月５日（２００１．３．５）
【訂正の要旨】
　特許第２９６５２１３号発明の明細書を本件訂正請求書に添付した訂正明細書のとおりに、すなわち、特許請求の範囲の減縮を目的として下記（ａ）のとおりに訂正し、明りょうでない記載の釈明を目的として下記（ｂ）ないし（ｄ）のとおりに訂正する。
（ａ）特許請求の範囲の請求項１（特許公報第２欄２〜４行）の「上記遊技領域を流下する打球の検出に基づき上記可変表示手段における可変表示の始動条件を付与可能な打球検出手段と、」を、「上記遊技領域を流下する打球の検出に基づき上記可変表示手段における可変表示の始動条件を付与可能な通過型の入賞口に設けられる打球検出手段と、」と訂正する。
（ｂ）特許請求の範囲の請求項２（同公報第３欄７〜９行）の「上記補助変動入賞装置に、上記可変表示手段を一体的に備えたことを特徴とする特許請求の範囲第１項記載の遊技機。」を、「遊技領域を形成した遊技盤と、
　上記遊技領域に配設され、遊技者にとって不利な第１状態と遊技者にとって有利な第２状態とに変換可能な変動入賞装置と、
　上記遊技領域に配設され、補助遊技を行い特定遊技結果を導出可能な補助遊技形成手段と、
　上記遊技領域に配設された特定入賞領域に入賞した打球を検出する特定入賞検出手段と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路と、
　を備えた遊技機において、
　複数の識別情報を可変表示可能な可変表示手段と、
　上記遊技領域を流下する打球の検出に基づき上記可変表示手段における可変表示の始動条件を付与可能な打球検出手段と、
　上記遊技領域を流下する打球が上記特定入賞領域へ入賞し得る状態を遊技者にとって不利な第１状態と遊技者にとって有利な第２状態とに変換可能な可動部材および該可動部材の状態を変化させる電気的駆動源を各々有する補助変動入賞装置と、
　を上記遊技領域に備え、
　上記遊技制御回路は、上記打球検出手段からの検出信号に基づき、上記可変表示手段の可変表示を行う可変表示制御手段と、上記可変表示手段に所定の特定識別情報が表示された場合に、上記補助変動入賞装置の可動部材を所定の態様で上記第２状態へ変換制御可能な変換制御手段と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設し、該補助変動入賞装置に、上記可変表示手段を一体的に備えたことを特徴とする遊技機。」と訂正する。
（ｃ）発明の詳細な説明における［問題を解決するための手段］（同公報第４欄３５〜３７行）の「上記遊技領域を流下する打球の検出に基づき上記可変表示手段における可変表示の始動条件を付与可能な打球検出手段（例えば、補助特定入賞検出器５１ｆ）と、」を、「上記遊技領域を流下する打球の検出に基づき上記可変表示手段における可変表示の始動条件を付与可能な通過型の入賞口に設けられる打球検出手段（例えば、補助特定入賞検出器５１ｆ）と、」と訂正する。
（ｄ）発明の詳細な説明における［問題を解決するための手段］（同公報第５欄８〜９行）の「また、上記補助変動入賞装置に、上記可変表示手段を一体的に備えてもよい。」を、「また、遊技領域（２）を形成した遊技盤（１）と、
　上記遊技領域に配設され、遊技者にとって不利な第１状態と遊技者にとって有利な第２状態とに変換可能な変動入賞装置（５）と、
　上記遊技領域に配設され、補助遊技を行い特定遊技結果を導出可能な補助遊技形成手段（例えば、変動入賞装置５など）と、
　上記遊技領域に配設された特定入賞領域（例えば、入賞球案内樋１２など）に入賞した打球を検出する特定入賞検出手段（例えば、特定入賞検出器１１０）と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路（例えば、第１の制御手段４００及び第２の制御手段３００）と、
　を備えた遊技機（例えば、パチンコ遊技機）において、
　複数の識別情報を可変表示可能な可変表示手段（例えば、可変表示ゲーム器１０１）と、
　上記遊技領域を流下する打球の検出に基づき上記可変表示手段における可変表示の始動条件を付与可能な打球検出手段（例えば、補助特定入賞検出器５１ｆ）と、
　上記遊技領域を流下する打球が上記特定入賞領域へ入賞し得る状態を遊技者にとって不利な第１状態と遊技者にとって有利な第２状態とに変換可能な可動部材（例えば、可動片１２１，１２１）および該可動部材の状態を変化させる電気的駆動源（例えば、ソレノイド１５１）を各々有する補助変動入賞装置（１００）と、
　を上記遊技領域に備え、
　上記遊技制御回路は、上記打球検出手段からの検出信号に基づき、上記可変表示手段の可変表示を行う可変表示制御手段（例えば、乱数生成手段３０１，乱数取出し手段３０２，比較判定手段３０３など）と、上記可変表示手段に所定の特定識別情報が表示された場合に、上記補助変動入賞装置の可動部材を所定の態様で上記第２状態へ変換制御可能な変換制御手段（例えば、補助変動入賞装置駆動制御手段３０４）と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設し、該補助変動入賞装置に、上記可変表示手段を一体的に備えたことを特徴とする。」と訂正する。
（５４）【発明の名称】
遊技機
（５７）【特許請求の範囲】
（１）遊技領域を形成した遊技盤と、
　上記遊技領域に配設され、遊技者にとって不利な第１状態と遊技者にとって有利な第２状態とに変換可能な変動入賞装置と、
　上記遊技領域に配設され、補助遊技を行い特定遊技結果を導出可能な補助遊技形成手段と、
　上記遊技領域に配設された特定入賞領域に入賞した打球を検出する特定入賞検出手段と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路と、
　を備えた遊技機において、
　複数の識別情報を可変表示可能な可変表示手段と、
　上記遊技領域を流下する打球の検出に基づき上記可変表示手段における可変表示の始動条件を付与可能な
通過型の入賞口に設けられる
　上記遊技領域を流下する打球が上記特定入賞領域へ入賞し得る状態を遊技者にとって不利な第１状態と遊技者にとって有利な第２状態とに変換可能な可動部材および該可動部材の状態を変化させる電気的駆動源を各々有する補助変動入賞装置と、
　を上記遊技領域に備え、
　上記遊技制御回路は、上記打球検出手段からの検出信号に基づき、上記可変表示手段の可変表示を行う可変表示制御手段と、上記可変表示手段に所定の特定識別情報が表示された場合に、上記補助変動入賞装置の可動部材を所定の態様で上記第２状態へ変換制御可能な変換制御手段と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設するようにしたことを特徴とする遊技機。
（２）
遊技領域を形成した遊技盤と、
　上記遊技領域に配設され、遊技者にとって不利な第１状態と遊技者にとって有利な第２状態とに変換可能な変動入賞装置と、
　上記遊技領域に配設され、補助遊技を行い特定遊技結果を導出可能な補助遊技形成手段と、
　上記遊技領域に配設された特定入賞領域に入賞した打球を検出する特定入賞検出手段と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路と、
　を備えた遊技機において、
　複数の識別情報を可変表示可能な可変表示手段と、
　上記遊技領域を流下する打球の検出に基づき上記可変表示手段における可変表示の始動条件を付与可能な打球検出手段と、
　上記遊技領域を流下する打球が上記特定入賞領域へ入賞し得る状態を遊技者にとって不利な第１状態と遊技者にとって有利な第２状態とに変換可能な可動部材および該可動部材の状態を変化させる電気的駆動源を各々有する補助変動入賞装置と、
　を上記遊技領域に備え、
　上記遊技制御回路は、上記打球検出手段からの検出信号に基づき、上記可変表示手段の可変表示を行う可変表示制御手段と、上記可変表示手段に所定の特定識別情報が表示された場合に、上記補助変動入賞装置の可動部材を所定の態様で上記第２状態へ変換制御可能な変換制御手段と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設し、該
る遊
【発明の詳細な説明】
［産業上の利用分野］
　この発明は、補助遊技形成手段による補助遊技が特定遊技結果となったことに関連して変動入賞装置を所定の規定に基づき遊技者にとって有利な状態に変換可能な特別遊技状態を起生するように構成した遊技機に関する。
［従来の技術］
　パチンコ遊技機などの遊技機においては、従来より、特別遊技状態の発生に関わる補助遊技を行う補助遊技形成手段が備えられている。
　この補助遊技形成手段として、例えば、内部に特別入賞口を有するとともに一対の可動部材を備え、該一対の可動部材を特定入賞部への打球の入賞に基づき１回乃至２回開閉させる補助遊技を実行し、この補助遊技時に内部に流入した遊技球が特別入賞口に入賞した場合に、特別遊技状態を発生させるような変動入賞装置を備えた、所謂「羽根もの」と呼ばれるパチンコ遊技機がある。
　また、別の型式の補助遊技形成手段として、例えば、複数の識別情報を可変表示可能な可変表示部を有し、特定入賞部への遊技球の入賞に基づき、該可変表示部で識別情報を可変表示させて補助遊技を実行し、該可変表示の停止結果態様が特別表示態様となった場合に特別遊技状態を発生させるような可変表示装置を備えた、所謂「セブン機」や「権利もの」と呼ばれるパチンコ遊技機がある。
［発明が解決しようとする問題点］
　斯かるパチンコ遊技機での特定入賞部への遊技球の入賞率は、釘調整のみ（遊技盤の傾斜等その他の要因も多少あるが多くは釘調整）で決定してしまっていたため、一旦釘調整を行うと、次に調整するまでは、特定入賞部への入賞率は固定的になってしまい、一台のパチンコ遊技機において、特定入賞部への入賞率の変化に乏しいものとなってしまっていた。特定入賞部への入賞は特別遊技状態の発生に関連していることから、特定入賞部への入賞率が変化に乏しいと、特別遊技状態の発生も単調となり、遊技上の興趣を低下させてしまう虞がある。
　また、遊技者にとって有利な状態を与えるものとしては、特別遊技状態だけであったため、遊技者はこの特別遊技状態の発生に関わる補助遊技を繰り返して見ることとなり、長く遊技を継続していると、飽きられてしまう虞があるし、特定入賞部への遊技球の入賞がなくて補助遊技が開始されないと、単調な通常遊技が継続することとなるため、特定入賞部への入賞率が低く設定されたパチンコ遊技機の場合には、特別遊技状態の期待感が低下する上に、単調な通常遊技が長く継続することとなってしまう。
　この発明は、上記問題点を解決するためになされたもので、補助遊技を開始させるための条件となる特定入賞領域への遊技球の入賞確率を変化させて、より変化に富んだ期待感の高い遊技を実行できるとともに、その特定入賞領域への遊技球の入賞確率を補助遊技とは別の可変表示手段の可変表示の結果に応じて変化させて遊技態様の豊富な興趣の高い遊技を実行できる遊技機を提供することを目的とする。
［問題点を解決するための手段］
　この発明は、上記課題を解決するため、
　遊技領域（２）を形成した遊技盤（１）と、
　上記遊技領域に配設され、遊技者にとって不利な第１状態と遊技者にとって有利な第２状態とに変換可能な変動入賞装置（５）と、
　上記遊技領域に配設され、補助遊技を行い特定遊技結果を導出可能な補助遊技形成手段（例えば、変動入賞装置５など）と、
　上記遊技領域に配設された特定入賞領域（例えば、入賞球案内樋１２など）に入賞した打球を検出する特定入賞検出手段（例えば、特定入賞検出器１１０）と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路（例えば、第１の制御手段４００及び第２の制御手段３００）と、
　を備えた遊技機（例えば、パチンコ遊技機）において、
　複数の識別情報を可変表示可能な可変表示手段（例えば、可変表示ゲーム器１０１）と、
　上記遊技領域を流下する打球の検出に基づき上記可変表示手段における可変表示の始動条件を付与可能な
通過型の入賞口に設けられる
　上記遊技領域を流下する打球が上記特定入賞領域へ入賞し得る状態を遊技者にとって不利な第１状態と遊技者にとって有利な第２状態とに変換可能な可動部材（例えば、可動片１２１，１２１）および該可動部材の状態を変化させる電気的駆動源（例えば、ソレノイド１５１）を各々有する補助変動入賞装置（１００）と、
　を上記遊技領域に備え、
　上記遊技制御回路は、上記打球検出手段からの検出信号に基づき、上記可変表示手段の可変表示を行う可変表示制御手段（例えば、乱数生成手段３０１，乱数取出し手段３０２，比較判定手段３０３など）と、上記可変表示手段に所定の特定識別情報が表示された場合に、上記補助変動入賞装置の可動部材を所定の態様で上記第２状態へ変換制御可能な変換制御手段（例えば、補助変動入賞装置駆動制御手段３０４）と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設するようにしたことを特徴とする。
　また、
遊技領域（２）を形成した遊技盤（１）と、
　上記遊技領域に配設され、遊技者にとって不利な第１状態と遊技者にとって有利な第２状態とに変換可能な変動入賞装置（５）と、
　上記遊技領域に配設され、補助遊技を行い特定遊技結果を導出可能な補助遊技形成手段（例えば、変動入賞装置５など）と、
　上記遊技領域に配設された特定入賞領域（例えば、入賞球案内樋１２など）に入賞した打球を検出する特定入賞検出手段（例えば、特定入営検出器１１０）と、
　上記特定入賞検出手段による打球の検出に基づいて上記補助遊技形成手段の補助遊技を開始させると共に、該補助遊技が上記特定遊技結果となったことに関連して上記変動入賞装置を所定の規定に基づき上記第２状態に変換可能な特別遊技状態を起生させる遊技制御回路（例えば、第１の制御手段４００及び第２の制御手段３００）と、
　を備えた遊技機（例えば、パチンコ遊技機）において、
　複数の識別情報を可変表示可能な可変表示手段（例えば、可変表示ゲーム器１０１）と、
　上記遊技領域を流下する打球の検出に基づき上記可変表示手段における可変表示の始動条件を付与可能な打球検出手段（例えば、補助特定入賞検出器５１ｆ）と、
　上記遊技領域を流下する打球が上記特定入賞領域へ入賞し得る状態を遊技者にとって不利な第１状態と遊技者にとって有利な第２状態とに変換可能な可動部材（例えば、可動片１２１，１２１）および該可動部材の状態を変化させる電気的駆動源（例えば、ソレノイド１５１）を各々有する補助変動入賞装置（１００）と、
　を上記遊技領域に備え、
　上記遊技制御回路は、上記打球検出手段からの検出信号に基づき、上記可変表示手段の可変表示を行う可変表示制御手段（例えば、乱数生成手段３０１，乱数取出し手段３０２，比較判定手段３０３など）と、上記可変表示手段に所定の特定識別情報が表示された場合に、上記補助変動入賞装置の可動部材を所定の態様で上記第２状態へ変換制御可能な変換制御手段（例えば、補助変動入賞装置駆動制御手段３０４）と、を備え、
　上記補助遊技形成手段を上記遊技領域の略中央部に配設して、該補助遊技形成手段の横側に上記打球検出手段を配設するとともに、該補助遊技形成手段の下側の左右方向略中央部に上記補助変動入賞装置を配設し
たことを特徴とする。
［作用］
　本発明によれば、遊技領域に配設された特定入賞領域に打球が入賞すると、特定入賞検出手段により検出されて、補助遊技形成手段の補助遊技が開始されるが、補助変動入賞装置の電気的駆動源の作用による可動部材の状態の変化により、遊技領域を流下する打球が特定入賞領域へ入賞し得る状態が遊技者にとって不利な第１状態と遊技者にとって有利な第２状態とに変換される。それによって、特定入賞領域への打球の入賞状態、即ち、補助遊技が開始される頻度が変化することとなる。
　また、打球検出手段からの検出信号に基づき、遊技制御回路の可変表示制御手段により、可変表示手段の可変表示が行われ、可変表示手段に所定の特定識別情報が表示された場合には、遊技制御回路の変換制御手段により、上記補助変動入賞装置の可動部材が所定の態様で上記第２状態へ変換される。従って、補助変動入賞装置の可動部材が可変表示手段の可変表示の結果に応じて変化する興趣の高い遊技が実行されるとともに、補助遊技形成手段による補助遊技の他に、可変表示手段によりても可変表示遊技が行われるような遊技態様の豊富な遊技が実行される。
　また、特別遊技状態の発生に関わる補助遊技が遊技領域の略中央に配設される補助遊技形成手段により効果的に実行される。そして、遊技領域に打ち込まれた打球は該補助遊技形成手段の横側へ流下することとなるが、その横側において効率よく打球検出手段で検出されることとなり、更に下側へ流下した打球は該補助遊技形成手段の下側の左右方向略中央部に配設された補助変動入賞装置へ集められる。
［第１実施例］
　第１図はこの発明が適用された遊技機の一例としてのパチンコ遊技機の遊技盤１の構成例を示すもので、その前面には、遊技機の下部に設けられた打球発射装置（図示省略）によって発射された打球を遊技盤１の上方部まで案内するガイドレール３が配設されている。このガイドレール３と遊技盤１前面のガラス盤とによって囲まれた空間内に遊技領域２が設けられている。
　この遊技領域２の略中央部分には、上端に天入賞口５０を有し、左右に補助特定入賞口（補助特定入賞部）５１ｂ，５１ｂを有する補助遊技形成手段としても機能する変動入賞装置５が設置されている。この変動入賞装置５の直下位置（下方側左右方向の略中央部分）には電動開放式型の補助変動入賞装置１００が、また、その左右の斜めの下方には特定入賞口（特定入賞部）１２，１２がそれぞれ設置されている。
　そして、前記補助変動入賞装置１００には可変表示手段として、例えば、可変表示ゲーム器１０１が取り付けられていて、前記補助特定入賞口５１ｂへの打球の入賞時にその可変表示ゲーム器１０１による可変表示ゲーム（例えば、「０」，「１」，「２」，……，「８」，「９」，「０」……と数字表示が循環変動する可変表示ゲーム）を行ない、そのゲーム結果としての停止表示態様が特定の態様（例えば、数字の「７」等）になったときのみ、該補助変動入賞装置１００が一定時間（例えば、２秒間）ずつ複数回（例えば、３回）開くようになっている。
　また、変動入賞装置５の左右位置には、風車と呼ばれる打球方向変換部材１３が複数設置されている。
　また、遊技領域２の下方側左右位置にはそれぞれチューリップ式の一般入賞装置１５が設置され、遊技領域２の適宜位置にはそれぞれ障害釘１６が植設されている。
　そして、前記変動入賞装置５の外殻を構成する基枠５１内はその前面側が開口した入賞空間５２となっており、その左右上部には打球流入口５１ａ，５１ａが設けられている。これら打球流入口５１ａ，５１ａには、それぞれ可動部材５３，５３が回動自在に取り付けられている。これら可動部材５３，５３が前記特定入賞口１２又は補助変動入賞装置１００への打球の入賞時に、「ハ」の字状に閉じた遊技者にとって不利な第１状態（符号イを付して示す）から逆「ハ」の字状に開いた遊技者にとって有利な第２状態（符号ロを付して示す）にまで、１回（例えば、０．４秒間×１回）又は２回（例えば、０．８秒間×２回）回動して開き、入賞空間５２中に打球を受け入れない状態や打球を受け入れ易い状態に変換する予備遊技が行なわれるようになっている。
　また、前記入賞空間５２中の前記左右の打球流入口５１ａ，５１ａ間に、流下案内棚５４が後方側が下がるように緩傾斜した状態で取り付けられている。入賞空間５２中の奥部には、飛行機を模した装飾部材５５が、流下案内棚５４の後方へ打球の通過が可能な間隔を隔てた状態で設置されている。
　また、入賞空間５２中の底部には、案内底面５１ｃがその手前側が下がるように傾斜した状態に設けられている。
　この案内底面５１ｃの手前側に位置する入賞空間５２中の底部中央には、特別入賞部としての上端開口の特別入賞口（Ｖ入賞口）５６が設けられ、その左右両側には上端開口の一般入賞口５７，５７が設けられている。
　また、変動入賞装置５の上部側中央の前面側には、特別遊技のサイクル数を表示するサイクル表示ランプ１９が設置されている。
　また、変動入賞装置５の下部側前面の左右位置には風車と呼ばれる打球方向変換部材１７，１７が回転自在に取り付けられている。
　また、前記補助特定入賞口５１ｂ，５１ｂ、特定入賞口１２及び補助変動入賞装置１００中の各流路には、その中に流入した打球を検出する打球検出手段としての補助特定入賞検出器５１ｆ，５１ｆおよび特定入賞検出器１２ａ，１２ａ，１１０の検出スイッチＳＷ１０，ＳＷ１０およびＳＷ１，ＳＷ１，ＳＷ２が、また、前記特別入賞口５６の流路にはその中に流入した打球を検出する特別入賞検出器５６ａとしての検出スイッチＳＷ３が、さらにこの特別入賞口５６と前記一般入賞口５７，５７の集合流路にはそれらの中に流入した打球を検出する入賞個数検出器５９としての検出スイッチＳＷ４がそれぞれ設置されている。上記特定入賞検出器１１０は特定入賞検出手段を構成するのである。
　上記のように概略構成されたパチンコ遊技機はそれに設置されたコンピュータシステム等の制御手段（後述）によって概ね次のように制御される。
　図外の電源スイッチ操作によりパチンコ遊技機に電気が供給されると、変動入賞装置５に設置されたサイクル数表示ランプ１９が全て同時に又は流れるように点滅を開始する。変動入賞装置５の左右の可動部材５３，５３は、入賞空間５２内への流入口５１ａ，５１ａを閉じた第１状態（符号イを付して示す）を維持している。補助変動入賞装置１００の可動部材としての可動片１２１，１２１は第１図に示すように該可動片１２１，１２１間に打球が１個流入し得る程度に閉じた状態となっている。
　そして、図示省略の打球発射装置によって、遊技領域２内に打球が発射され、その打球が特定入賞口１２又は補助変動入賞装置１００中に入賞すると、それが特定入賞口１２、補助変動入賞装置１００中に設置された特定入賞検出器１２ａ又は１１０に検出される。その検出信号に基づいて、変動入賞装置５の左右の可動部材５３，５３が１回又は２回逆「ハ」字状に開いた第２状態（符号ロを付して示す）に変換して入賞空間５２中に打球が流入し易い状態、即ち、予備遊技状態となる。
　その第２状態に変換したときに、打球が入賞空間５２中に流入してくると、その打球は先ず流下案内棚５４を奥方向へ転動した後、案内底面５１ｃ上に落下し、今度は手前方向へ転動して、特別入賞口５６又は一般入賞口５７中に入賞する。
　結果的に特別入賞口５６中に入賞できなかった場合には、可動部材５３，５３が再び「ハ」の字状に閉じた状態に戻って、入賞空間５２中に打球を受け入れない第１状態（符号イを付して示す）を維持する。その場合にも、一般入賞口５７，５７中に入賞した打球の個数と対応する回数分の賞品球排出処理が図示省略の賞品球処理装置によって行なわれる。
　特定入賞口１２又は補助変動入賞装置１００中に打球が入賞するごとに上記動作が繰り返される。
　また、遊技中、補助特定入賞中５１ｂ中に打球が入賞すると、可変表示ゲーム器１０１による可変表示ゲームが行なわれる。そして、そのゲーム結果としての停止表示が特定の停止表示（例えば、「７」の数字）となれば、補助変動入賞装置１００の可動片１２１，１２１が一定時間（例えば、２秒間）ずつ所定回数（例えば、３回）開かれる。そして、その分、補助変動入賞装置１００に打球が入賞し易くなり、もって予備遊技発生のチャンスが増える。
　上記予備遊技時に偶発的に打球が特別入賞口５６中に入賞すると、それが特別入賞口５６中に設置された特別入賞検出器５６ａに検出され、その検出信号に基づいて特別遊技状態としての特別遊技態様が発生される。
　ここに、特別遊技態様とは、通常の遊技時に比べ多くの賞品球獲得のチャンスを遊技者に与える特別な利益状態であって、その利益状態は各サイクル中に打球が特別入賞口５６中に入賞することを条件としてサイクル更新がなされる。この実施例における特別遊技態様は、例えば、可動部材５３，５３の１８回の開閉動作を１サイクル（ただし、１８回の開閉動作の終了前に入賞口５６，５７中に合計１０個の打球が入賞したときには、その時点までを１サイクル）とし、各サイクル中において、特別入賞口５６中に打球が入賞することを継続条件として、最高１６サイクルまでその動作が行なわれ、各サイクル途中で打球の特別入賞口５６中への入賞が行なわれると、それが記憶されていて、そのサイクルが完了した後、次のサイクルが開始されるようになっている。
　そして、この特別遊技態様が発生したときには、変動入賞装置５のサイクル表示ランプ１９が一旦全部消灯された後、そのサイクルの継続回数がそのサイクル表示ランプ１９の点灯又は点滅によって表示されるようになっている。
　かくして、特別遊技態様が終了されると、通常の遊技状態（一般の遊技状態）に戻るようになっている。
　次の、第２図および第３図に基づき、上記変動入賞装置５の構成について詳しく説明する。
　変動入賞装置５の外殻を構成する基枠５１の手前側寄りの周囲には、取付板部５１ｄがフランジ状に形成されている。この取付板部５１ｄが遊技盤１の遊技領域２内の盤内に設けられた取付用開口部の前面側に密着状態に取り付けられている。このように取り付けられた状態で、変動入賞装置５はその前側部分が遊技領域２内に突出し、後側部分が遊技盤１の盤面の裏側に突出した状態となっている。
　前記基枠５１の中央には、その前面側が開口した入賞空間５２が設けられている。この入賞空間５２の上縁部には遊技領域２中を流下する打球が入賞空間５２中に直接飛び込むのを防止する鎧部５１ｅが手前側に突出した状態で設けられ、その上側に天入賞口５０が設けられている。前記鎧部５１ｅの前面側には前飾板５１ｋが取り付けられている。
　また、前記入賞空間５２中の中ほどの高さ位置には、流下案内棚５４が、その手前側部を前記鎧部５１ｅと同程度手前方向に突出させるとともにその後部側を入賞空間５２中の奥部へ入り込ませた状態で設置されている。この流下案内棚５４は後方側が下がるように緩傾斜している。
　この流下案内棚５４と前記鎧部５１ｅとの間にできた打球流入路５１ａ，５１ａには、それぞれ可動部材５３，５３が回転軸５３ａ，５３ａを軸心として回動自在に取り付けられている。
　これら可動部材５３，５３は、常時は第１図に示すように「ハ」の字状に起立して入賞空間５２中への打球流入路５１ｅ，５１ｅを閉じた第１状態（符号イを付して示す）にある。そして、前記特定入賞口１２又は補助変動入賞装置１００中に打球が入賞したときには、変動入賞装置５の裏側に設置された駆動装置（図示省略）により、第１状態（符号イを付して示す）から逆「ハ」の字状に開いた第２状態（符号ロを付して示す）にまで１回（例えば、０．４秒間×１回）又は２回（例えば、０．８秒間×２回）回動されて開くようになっている。また、特別遊技態様が発生したときには、例えば、一定時間間隔（例えば０．８秒間隔）で、継続して、前記第１状態（符号イを付して示す）から第２状態（符号ロを付して示す）へ回動して開くようになっている。
　また、入賞空間５２中の奥部には、例えば飛行機を模した装飾部材５５が、流下棚５４の後方へ打球の通過が可能な間隔を隔てた状態で設置されている。この装飾部材５５の翼を模した両端部は、入賞空間５２の左右の側壁５２ａ，５２ａに設けられた開口部５２ｂ，５２ｂ（打球は通れない）を介して、入賞空間５２の左右外側に隣接された収容空間５２ｇ，５２ｇ中に至っている。収容空間５２ｇ，５２ｇの前面側が透明部材によって覆われ、収容空間５２ｇ，５２ｇ中に収容された装飾部材５５の左右両端部が見えるようになっている。
　変動入賞装置５の入賞空間５２中の下部には、全体として手前が低くなるように傾斜した案内底部５１ｃが設けられている。この案内底部５１ｃは第６図に示すように一段高くなった奥側の上流底部５１ｃａと下流側の下流底部５１ｃｃとを備え、上流底部５１ｃａと下流底部５１ｃｃとの間には、上流底部５１ｃａ上に至った打球を下流底部５１ｃｃ上に流下させる流下案内部５１ｃｄが設けられている。流下案内部５１ｃｄは先端部に打球を流下させる傾斜部を有する多数の垂直板状片から構成されている。また、上流底部５１ｃａには左右対象にスリット状の透孔５１ｃｄ，５１ｃｄが形成されており、これら透孔５１ｃｄ，５１ｃｄを介して上流底部５１ｃａ上に誘導部材６０，６０が適宜出没されるようになっている。これら誘導部材６０，６０はそれぞれ中央寄り部分が手前方向に近づくような「ハ」の宇状配置となっており、誘導部材６０，６０が上流底部５１ｃａ上へ突出した状態にあるときには、それら誘導部材６０，６０の上流から流下する打球はそれら誘導部材６０，６０に案内されそれらの間を通って案内底部５１ｃの中央寄りに集められることとなる。
　また、この案内底部５１ｃの手前側で入賞空間５２中の下部中央には特別入賞口５６が設けられ、その左右には一般入賞口５７，５７が設けられている。これら特別入賞口５６および一般入賞口５７，５７の手前側には第２図に示すように前飾り板５８が取り付けられている。
　また、変動入賞装置５の左右両端部には補助特定入賞口５１ｂ，５１ｂが設けられ、該補助特定入賞口５１ｂ，５１ｂ中には補助特定入賞検出器５１ｆ，５１ｆの検出スイチＳＷ１０，ＳＷ１０（第１図）が設置されている。また、この変動入賞装置５の下側の左右両端寄りには風車と呼ばれる打球方向変換部材１７，１７が回動自在に取り付けられている。
　第４図および第５図には、変動入賞装置５の入賞空間５２中下部に設けられた案内底部５１ｃの上流底部５１ｃａ上に出没する更新確率変更手段としての前記誘導部材６０，６０と、これら誘導部材６０，６０を出没させる駆動機構を示す。
　誘導部材６０，６０は、案内底部５１ｃの下方に、その中間部をピン６１，６１によって支持された状態で回動自在に設置されている。そして、これら誘導部材６０，６０の上方へ向けてＬ字状に屈曲した先端部が案内底部５１ｃの上流底部５１ｃａに設けられた透孔５１ｃｄ，５１ｃｄ中に臨まされている。これら誘導部材６０，６０の後方に誘導部材作動用ソレノイド６５，６５が設置され、これらソレノイド６５，６５の作動ロッド６７，６７に取り付けられたＬ字状制御レバー６８，６８の先端下部が誘導部材６０，６０の後端部上に接触配置されている。
　このように構成された駆動機構は次のように動作することによって更新確率変更手段としての誘導部材６０，６０の先端を案内底部５１ｃの上流底部５１ｃａ上に出没させる。
　すなわち、ソレノイド６５，６５が消磁状態にあるときには、圧縮スプリング６６，６６により作動ロッノド６７，６７が上昇復帰された状態にあって、制御レバー６８，６８が上昇された状態にある。そして、誘導部材６０，６０は自重によってそれら先端側が下降して上流底部５１ｃａの透孔５１ｃｄ，５１ｃｄ中に没した状態にある。
　この状態で、ソレノイド６５，６５が励磁されると、圧縮スプリング６６，６６の力に抗して作動ロッド６７，６７が縮んで下降し、制御レバー６８，６８が下降される。そして、誘導部材６０，６０の後端側が制御レバー６８，６８によって押し下げられる。このため、誘導部材６０，６０はそれら先端側が上昇する方向に回動されて先端部が透孔５１ｃｄ，５１ｃｄを介して上流底部５１ｃａ上に突出され、その誘導部材６０，６０の先端部によって、案内底部５１ｃ上に至った打球が案内されることにより特別入賞口５６中に入賞する確率が高められる。
　第６図および第７図には電動開放式の補助変動入賞装置１００の構成例を示す。それらのうち、第６図は電動開放式の補助変動入賞装置１００の前側斜視図、第７図はその裏側斜視図である。
　補助変動入賞装置１００は遊技盤１の取付開口部（図示省略）に取り付けられる構成基枠１３０を備えている。
　この構成基枠１３０の前面側下部には前方に突出した状態で入賞球案内樋１２５が設けられ、該案内樋１２５によって、補助変動入賞装置１００に入賞した遊技球が構成基枠１３０の裏側に案内されるようになっている。即ち、入賞球案内樋１２により特定入賞領域が構成される。
　そして、その入賞球案内樋１２５の真上には、左右一対の可動片１２１，１２１が、それぞれ、構成基枠１３０に回動自在に支持された回動軸１２２，１２２に固定された状態で開閉自在に設置されている。これら可動片１２１，１２１は略垂直上向きとなってそれら可動片１２１，１２１間に遊技球が１個流入し得る程度の流入通路を保持した状態に閉じた状態と逆「ハ」の字状となってそれら可動片１２１，１２１間に遊技球が入り易くなるように開いた状態とに変換可能となっている。
　また、この構成基枠１３０の裏側下部には前記入賞球案内樋１２５によってその裏側に導かれた遊技球を検出する特定入賞検出器１１０としての検出スイッチＳＷ２が設置されている。補助変動入賞装置１００への入賞球はこの検出スイッチＳＷ２に検出された後、パチンコ遊技機の入賞球処理装置（図示省略）の方向に至るようになっている。
　また、前記可動片１２１，１２１を支持する回転軸１２２，１２２の構成基枠１３０の裏側に至った後端部には、自由端側にクランク軸１２４を備えたクランクレバー１２３，１２３が固定されている。
　また、構成基枠１３０の裏側にはスタッド１２６を介して駆動ユニット１５０が設置されている。
　この駆動ユニット１５０は電気的駆動源としてのソレノイド１５１とその作動ロッド１５２の下端に取り付けられた作動部材１５３を備えている。そして、その作動部材１５３の前側には横長の挿通穴１５４が設けられ、該挿通穴１５４中に前記クランク軸１２４，１２４が挿通されている。
　補助変動入賞装置１００は上記のように構成されていて、常時はソレノイド１５１が消磁されてその作動ロッド１５２および作動部材１５３が復帰用ばね１５５の伸長復帰力等によって下降した状態となり、その状態で可動片１２１，１２１が略垂直上向きでそれら可動片１２１，１２１間に遊技球が１個流入し得る程度の間隔を保持した状態に閉じられた状態となっている。
　そして、前記可変表示ゲーム器１０１の可変表示ゲームの結果としての停止表示が特定の停止表示（例えば、「７」の数字等）となったときに、制御手段からの指令に基づいてソレノイド１５１が励磁されると、その作動ロッド１５２および作動部材１５３が上昇して、作動部材１５３、クランクピン１２４，１２４を介して可動片１２１，１２１が逆「ハ」の字状に開いた状態に変換する。
　同図中、符号１２７で示すものは装飾ランプである。
　次に、第８図に示すブロック図に基づいて、上記のように構成されたパチンコ遊技機の変動入賞装置５および補助変動入賞装置１００等の装飾を行なう遊技制御回路を構成する第１および第２の制御手段３００，４００による制御の一例について説明する。
　第２の制御手段３００は補助変動入賞装置１００の可変表示ゲーム器１０１に可変表示ゲームを行なわせたり、そのゲーム結果としての停止表示を判定してそれが特定の停止表示（例えば、「７」の数字表示）となったときに補助変動入賞装置１００の可動片１２１，１２１を開放させたりする制御を行なう。
　この第２の制御手段３００は可変表示ゲーム結果としての停止表示をランダムに定める乱数を生成する乱数生成手段３０１、補助特定入賞検出器５１ｆによる入賞球の検出のタイミング等で、この乱数生成手段３０１から乱数を取り出す乱数取出し手段３０２、該乱数取出し手段３０２によって取り出された乱数に基づいて可変表示ゲーム手段（可変表示ゲーム器１０１）で行なわれた停止表示が特定の表示（例えば、「７」の数字等）と一致しているか否かを判定しその結果一致していると判定したときに一致信号を発生する比較判定手段３０３、および該比較判定手段３０３からの一致信号を受けて補助変動入賞装置１００のソレノイド１５１を作動（励磁）させる変換制御手段としての補助変動入賞装置駆動制御手段３０４等を備えている。上記乱数生成手段３０１と乱数取出し手段３０２と比較判定手段３０３とが協働して可変表示制御手段を構成する。
　第２の制御手段３００はこのように構成されていて次のような制御を行なう。
　乱数生成手段３０１では乱数を時々刻々と変化させて乱数を生成している。
　この状態で、補助特定入賞口５１ｂに打球が入賞し、その入賞球が補助特定入賞検出器５１ｆに検出されると、その検出のタイミングで、乱数取出し手段３０２により、そのとき乱数発生手段３０１によって生成された乱数が取り出される。そして、その乱数によって定められた停止表示になるように、可変表示ゲーム器１０１により可変表示ゲームが行なわれる。
　と同時に、その乱数取出し手段３０２によって取り出された乱数が、比較判定手段３０３により、特定の表示（例えば、「７」の数字等）と比較判定される。
　その結果、その停止表示がその特定の表示（例えば、「７」の数字等）と一致していれば、前記可変表示ゲームの終了後に、その一致信号に基づき、補助変動入賞装置駆動制御手段３０４によって補助変動入賞装置１００のソレノイド１５１が励磁されて一定時間（例えば、２秒間）ずつ１回又は複数回（例えば、３回）開放される。
　一方、第１の制御手段４００は変動入賞装置５の制御などを行なうもので、特定入賞口１２又は補助変動入賞装置１００に打球が入賞しその入賞球の検出信号が特定入賞検出器１２ａ，１２ａ，１１０から送られてきたときに予備遊技の制御信号を可動部材駆動制御手段４０２に送る特定入賞制御手段４０１、該特定入賞制御手段４０１からの予備遊技制御信号に基づいて変動入賞装置５の可動部材５３，５３を１回又は２回（複数個）開放させる駆動手段としてのソレノイド４２１，４２１を作動（励磁）させて補助遊技を行なわせる可動部材駆動制御手段４０２、その予備遊技中に特別入賞口５６中に入賞した打球の検出信号が特別入賞検出器５６ａから送られてくることを条件に可動部材駆動制御手段４０２を介して変動入賞装置５のソレノイド４２１，４２１を作動させて適宜可動部材５３，５３を開放させる特別遊技を行なわせる特別遊技制御手段４１１、該特別遊技制御手段４１１によって行なわれる前記特別遊技のサイクル中にソレノイド６５を作動させて誘導部材６０，６０を動かして変動入賞装置５の入賞空間５２中の案内底部５１ｃ上に誘導部材６０，６０の先端折曲部を適宜出没させる誘導部材制御手段４１２、特別遊技中に特別入賞口５６中に入賞した入賞球の検出信号が特別入賞検出器５６ａから送られてくる回数を基に特別遊技のサイクルの継続回数を計数する継続回数計数手段４１３および特別遊技の各サイクル中に入賞個数検出器５９から送られてくる検出信号の回数を計数してその計数値を特別遊技制御手段４１１に送ったり、入賞個数表示手段（図示省略）に送ってその入賞個数を表示させたりする入賞個数計数手段４１４等を備えている。
　第１の制御手段４００はこのように構成されていて次のような制御を行なう。
　通常の遊技中、特定入賞口１２又は補助変動入賞装置１００への打球の入賞に基づいて特定入賞検出器１２ａ又は１１０から検出信号が特定入賞制御手段４０１に送られてくると、該特定入賞制御手段４０１から予備遊技制御信号が可動部材駆動制御手段４０２に送られる。
　そして、その可動部材駆動制御手段４０２により変動入賞装置５のソレノイド４２１，４２１が作動されて可動部材５３，５３が１回又は２回（複数回）開放される予備遊技が行なわれる。
　この予備遊技中に、特別入賞検出器５６ａから特別入賞口５６への入賞の検出信号が継続回数計数手段４１３を介して特別遊技制御手段４１１に送られてくると、該特別遊技制御手段４１１から可動部材駆動制御手段４０２および誘導部材制御手段４１２に特別遊技の制御信号が送られる。
　その特別遊技制御手段４１１から可動部材駆動制御手段４０２および誘導部材制御手段４１２に特別遊技の制御信号が送られると、先ず、次のような特別遊技の制御が行なわれる。
　すなわち、可動部材駆動制御手段４０２により変動入賞装置５のソレノイド４２１，４２１が作動されることによって行なわれる可動部材５３，５３の所定回数（例えば、１８回）の開閉動作を１サイクル（ただし、その所定回数の開閉動作の終了前に入賞個数検出信号からの検出信号が入賞個数計数手段４１４に所定個数（例えば、１０個）以上送られてその計数値が所定個数以上となってその計数値が特別遊技制御手段４１１に送られたときには、その時点までを１サイクル）とし、各サイクル中において、特別入賞検出器５６ａからの検出信号が継続回数計数手段４１３を介して特別遊技制御手段４１１に送られることを継続条件として、最高所定サイクル（例えば、１６サイクル）までその動作が行なわれる。各サイクル途中で、特別入賞検出器５６ａからの検出信号が継続回数計数手段４１３を介して特別遊技制御手段４１１に送られると、直ちに、又はそのサイクルが完了した後、次のサイクルに移行する。
　特別遊技の継続サイクルは継続回数計数手段４１３により計数されていて、その継続サイクルが継続回数表示手段（サイクル表示ランプ）１９に表示される。
　一方、各サイクル中、入賞個数検出器５９からの検出信号は入賞個数計数手段４１４に計数されていて、その計数値が入賞個数表示手段（図示省略）に表示される。
　また、各サイクル中、前記誘導部材制御手段４１２によってソレノイド６５，６５が作動されることにより、誘導部材６０，６０の先端部が適宜変動入賞装置５の入賞空間５２中の案内底部５１ｃ上に出没されてその案内底部５１ｃ上に遊技球が適時貯留されることとなる。
　第９図には上記第２の制御手段３００によって制御される補助変動入賞装置１００の可動片１２１，１２１の開閉動作、および第１の制御手段４００によって制御される変動入賞装置５の予備遊技動作および特別遊技動作のタイミングチャートを示す。
　通常遊技中に、補助特定入賞口５１ｂに打球が入賞して、その入賞が補助特定入賞検出器５１ｆにより検出されると、その検出信号の立ち上がりのときから可変表示ゲーム器１０１により可変表示ゲームが開始されて一定時間経過後に停止される。
　その停止表示が特定の表示（例えば、「７」の数字）になっていれば、そのときに限り、その時点から所定時間経過後に変動入賞装置５のソレノイド５１の作動が開始されて可動片１２１，１２１の開放が所定時間（例えば、２秒間）ずつ所定回数（例えば、３回）行なわれる。その各開放の問には所定時間（例えば、４秒間）のウェイトタイムがおかれる。
　このように、補助変動入賞装置１００の可動片１２１，１２１が開放される動作が継続して行なわれると、その分、その補助変動入賞装置１００中に打球が入賞し易くなる。このときにも、可動片１２１，１２１が閉じているときに入賞したと同様に、変動入賞装置５のソレノイド４２１，４２１が作動されてその可動部材５３，５３が２回開放される予備遊技が行なわれる。
　この予備遊技中に変動入賞装置５の入賞空間５２中の特別入賞口５６中に打球が入賞してその入賞が特別入賞検出器５６ａに検出されると、その検出信号の立下り時にその予備遊技動作が直ちに終了されて可動部材５３，５３が閉じた状態に戻される。
　そして、その後、一定のウェイトタイムをおいてから、特別遊技に移行される。
　この実施例に係るパチンコ遊技機は上記のように構成されているので、補助特定入賞口５１ｂ、５１ｂへ打球が入賞して可変表示ゲーム器１０１により可変表示ゲームが開始され、その停止表示が特定の表示（例えば、「７」の数字等）となれば、
　補助変動入賞装置１００の可動片１２１，１２１が所定時間ずつ、所定回数開放されることとなり、その分、補助変動入賞装置１００に遊技球が入賞し易くなって、予備遊技の発生の機会が増加され、ひいては特別遊技発生の可能性に対する期待感が高まる興味深いものとなる。また、補助特別入賞口５１ｂへの入賞に基づいて直ちに補助変動入賞装置１００の可動片１２１，１２１を開放させずに、可変表示ゲーム器１０１にゲームを行なわせ、そのゲーム結果如何によって補助変動入賞装置１００を開放させることとしているので、パチンコ遊技店と遊技者の利益バランスは失われない。
　なお、上記実施例では、補助特定入賞口５１ｂを変動入賞装置５と一体に設けたが、遊技領域２中、いずれの箇所に設けてもよい。また、補助特定入賞口５１ｂをポケット型としたが通過型のものにしてもよい。
　また、補助変動入賞装置１００は１回入賞につき変動入賞装置５の可動部材５３，５３を複数回（例えば、２回）開かせる２回開き形式のものとして構成したが、１回開き形式のものとしてもよい。
　また、補助変動入賞装置１００を開放されるゲームを行なう可変表示ゲーム器１０１は補助変動入賞装置１００に一体的に設けた構成としたが、別体にして遊技盤１のいずれの箇所に設けてもよい。
　また、その可変表示ゲームの結果如何によって開放される補助変動入賞装置１００の開放時間や開放回数はどのように設計変更してもよい。
　また、補助変動入賞装置１００はチューリップ形式にせず、アタッカー形式にするなど、どのような形式にしてもよい。
　また、可変表示ゲーム器１０１はドラム形式のものにしてもよい。ゲームの種類は問わない。
　さらに、本実施例においては、変動入賞装置５を補助遊技形成手段として併用することによって、変動入賞装置５内に特別入賞口５６を設け、当該特別入賞口５６内に打球が入賞することによって特別遊技状態を発生させるように構成したが、変動入賞装置５を繰り返し遊技者にとって有利な第２状態に変換可能な特別遊技状態を起生させることができるものであれば、どのようなものでもよく、例えば、特別遊技状態を発生させる補助遊技形成手段として可変表示装置等を用いるようにしてもよい。
［発明の効果］
　以上説明したように、請求項１の発明に係る遊技機によれば、遊技領域に配設された特定入賞領域に打球が入賞すると、特定入賞検出手段により検出されて、補助遊技形成手段の補助遊技が開始されるが、補助変動入賞装置の電気的駆動源の作用による可動部材の状態の変化により、遊技領域を流下する打球が該特定入賞領域へ入賞し得る状態が遊技者にとって不利な第１条態と遊技者にとって有利な第２状態とに変換される。それによって、特定入賞領域への打球の入賞状態、即ち、補助遊技が開始される頻度が変化して、遊技が単調とならずに興趣を高めることができるし、特定入賞領域への入賞率が高くなった場合には、補助遊技が行われ易くなり特別遊技状態の起生への期待感を高めることができる。
　また、遊技制御回路の可変表示制御手段により、打球検出手段からの検出信号に基づき、可変表示手段の可変表示が行われ、可変表示手段に所定の特定識別情報が表示された場合には、遊技制御回路の変換制御手段により、上記補助変動入賞装置の可動部材が所定の態様で上記第２状態へ変換される。それによって、補助変動入賞装置の可動部材が可変表示手段の可変表示の結果に応じて変化するような興趣の高い遊技が実行できるし、補助遊技形成手段による補助遊技の他に、可変表示手段によっても可変表示遊技が行われるため、通常遊技状態が長く継続することを防止でき、双方の遊技の実行により遊技態様が豊富になり趣興を向上させることができる。
　また、補助遊技形成手段を遊技領域の略中央部に配設して、該補助遊技形成手段の横側に打球検出手段を配設するとともに、該補助遊技形成手段の下側の左右方向略中央部に補助変動入賞装置を配設するようにしたことにより、特別遊技状態の発生に関わる補助遊技が遊技領域の略中央で効果的に実行され、また、遊技領域に打ち込まれた打球は補助遊技形成手段に衝突等して流下方向を規制され該補助遊技形成手段の横側へ集められて流下することとなるが、その横側において、より効率よく打球検出手段で検出できるとともに、更に下側へ流下した打球は、該補助遊技形成手段の下側の左右方向略中央部に配設された補助変動入賞装置へ効率よく集めることができ、特定入賞領域へ効率よく入賞させることができるようになる。特に、遊技領域の何処をねらっても、打球は補助遊技形成手段の横側へ流下することとなるため、遊技者の技量に左右されずに、より多くの打球を打球検出手段で検出できて、可変表示手段での多くの可変表示を実行できるようになる。また、遊技領域の略中央部で行われる補助遊技を注視しながら、打球検出手段および補助変動入賞装置の入賞状態等も視認することもできるので、その分、遊技に集中することができるようになる。
　請求項２の発明によれば、上記補助変動入賞装置に、上記可変表示手段を一体的に備えたことにより、可変表示手段を配設する専用の領域を遊技領域に確保することなくスペース的に効率のよい配設が行える。また、補助変動入賞装置と可変表示手段を遊技盤に対して同時に取り付けることが可能となり作業性を向上させることにもなる。
【図面の簡単な説明】
　第１図〜第９図は本発明の遊技機としてのパチンコ遊技機の実施例を示すもので、それらのうち、
　第１図はパチンコ遊技機の遊技盤を示す正面図、第２図は変動入賞装置の全体斜視図、
　第３図は変動入賞装置の正面図、
　第４図は変動入賞装置の入賞空間内部を示す部分斜視図、
　第５図は誘導部材の作動機構を示す部分縦断側面図、
　第６図は補助変動入賞装置の全体斜視図、
　第７図は補助変動入賞装置の分解斜視図、
　第８図は第１制御手段および第２制御手段による制御ブロック図、
　第９図は第２の制御手段によって制御される補助変動入賞装置の可動片の開閉動作および第１の制御手段によって制御される変動入賞装置の予備遊技動作および特別遊技動作のタイミングチャートである。
　１……遊技盤、２……遊技領域、５……変動入賞装置（補助遊技形成手段）、１２……入賞球案内樋（特定入賞領域）、５１ｆ……補助特定入賞検出器（打球検出手段）、１００……補助変動入賞装置、１０１……可変表示ゲーム器（可変表示手段）、１１０……特定入賞検出器（特定入賞検出手段）、１２１……可動片（可動部材）、１５１……ソレノイド（電気的駆動源）、３００……第２の制御手段（遊技制御回路）、３０１……乱数生成手段（可変表示制御手段）、３０２……乱数取出し手段（可変表示制御手段）、３０３……比較判定手段（可変表示制御手段）、３０４……補助変動入賞装置駆動制御手段（変換制御手段）、４００……第１の制御手段（遊技制御回路）。